(57)【要約】      （修正有）【課題】小ロットに対応したスクラッチカード台紙を提供する。【解決手段】紙面部分に削りカスの出ないスクラッチ加工を設け、削りカスの出ないスクラッチ加工で覆われた紙面部分に情報が印刷されており、スクラッチ加工を固体で擦ることにより、情報が表れる。また、パソコンでデザインを作成し、紙面部分に作成したデザインをプリンターで印刷することでデザインが紙面に反映され、ミシン目加工に沿って切り離すことによって１枚のスクラッチカードが完成する。【選択図】図１
0003170362.tif 000002
【実用新案登録請求の範囲】
【請求項１】
紙面部分に削りカスの出ないスクラッチ加工を設け、前記削りカスの出ないスクラッチ加工で覆われた前記紙面部分に情報が印刷されており、前記スクラッチ加工を固体で擦ることにより、前記情報が表れることを特徴とする。また、パソコンでデザインを作成し、紙面部分に作成したデザインをプリンターで印刷することでデザインが紙面に反映され、ミシン目加工に沿って切り離すことによって１枚のスクラッチカードが完成することを特徴とする、スクラッチカード台紙。
【請求項２】
前記情報が、写真を含む、請求項１に記載のスクラッチカード台紙。
【請求項３】
前記情報が、絵を含む、請求項１又は２に記載のスクラッチカード台紙。
【請求項４】
前記情報が、文字を含む、請求項１乃至３のいずれか１項に記載のスクラッチカード台紙。
【請求項５】
前記固体が、金属からなる、請求項１乃至４のいずれか１項に記載のスクラッチカード台紙。
【請求項６】
前記固体が、コインである、請求項１乃至５のいずれか１項に記載のスクラッチカード台紙。
【請求項７】
前記スクラッチ加工が、削りカスの出ないスクラッチ加工である、請求項１乃至７のいずれか１項に記載のスクラッチカード台紙。
【考案の詳細な説明】
【技術分野】
【０００１】  本考案は、玩具及び文具に関する。
【背景技術】
【０００２】  削りカスの出ない当たり、はずれ等の懸賞用スクラッチカードは、通常スクラッチ印刷会社の印刷機で印刷し、カードサイズに断裁して作成する。この場合、１枚からスクラッチカードを作成することは物理的には可能であったが、スクラッチカードを使用するユーザにとても高い価格で提供することとなり、現実的ではなかった。印刷機を使ってオリジナルデザインのスクラッチカードを作成する場合、最低ロットが平均で５０００枚からとなり、１００枚程度の小ロットを希望するユーザには、ロット、価格などによりオリジナルデザインのスクラッチカードの作成を諦めなければならなかった。
【考案の開示】
【考案が解決しようとする課題】
【０００３】  本考案は、この点において改善を施し、小ロットを希望するユーザに向けて低価格で提供することを課題とし、気軽に家庭用プリンター等でオリジナルデザインのスクラッチカードが作成できるスクラッチカード台紙の提供を目的とする。
【課題を解決するための手段】
【０００４】  本考案の態様は、家庭用プリンター等で使用できる紙質の印刷媒体内に、予めスクラッチ印刷加工（コイン等でスクラッチ部分を擦ることによりアタリ、ハズレ、特賞、Ａ賞、Ｂ賞、１等、２等などが浮き出るもの）を施す。スクラッチ部分を外してパソコンでオリジナルデザインを作成し、家庭用プリンター等で印刷することでオリジナルデザインのスクラッチカードが完成する台紙を提供する。また、台紙にはミシン目加工等を施し、ミシン目に沿って切り離すことで１枚のスクラッチカードが完成する。
【考案の効果】
【０００５】  上述のように、本考案のスクラッチ加工を取り入れた台紙を制作することで、１００枚程度からのオリジナルデザインスクラッチカードの作成が可能となり、小ロットを希望するユーザに低価格で提供することが可能となる。【０００６】
【考案を実施するための最良の形態】
【０００７】図１の２に示すように、台紙内にスクラッチ加工を示す部分はデザインスペースをなるべく邪魔しない場所に配置し、三角部分内にスクラッチ加工技術を施す。台紙の所有者は、パソコンでデザインを作成する。作成したデザインを家庭用プリンター等でスクラッチカード台紙にデザインを印刷することで、図１の４に示すように、スクラッチカード台紙上に作成したデザインが反映される。印刷後、図１の３に示すように、ミシン目部分に沿って切り離すと図１の６に示すように、１枚のスクラッチカードが完成する。
【実施例】
【実施例１】
【０００８】スクラッチ印刷及びミシン目加工を施し、紙面上に作成したデザインを家庭用プリンター等で印刷する形態をスクラッチカード台紙と称す。これは印刷会社に作成を依頼するものではなく、自分でオリジナルスクラッチカードを作成するという新分野を形成するものである。【０００９】本考案の実施例によりもたらされる要素として、小規模の店舗がオリジナルスクラッチカードを使用してキャンペーンなどを実施することがあげられる。これ等は既に一般的に印刷会社の印刷機で作成した印刷物の形態であるが、本考案の実施例の効果により、決定的に異なる点は、１００枚程度の小ロットのオリジナルスクラッチカードを作成するユーザにとって、低コストで提供することが可能な印刷物となる。すなわち、購入時に予めアタリ、ハズレなどの一般的にキャンペーンで使用する文字がスクラッチ加工されており、購入時には未完成である。購入者はパソコンでデザインを作成し、家庭用プリンター等で紙面にデザインを印刷することにより予測しながら擦り、自分の手でスクラッチ付きオリジナル印刷物を完成させるという新しい印刷物が誕生することとなる。本考案の実施例を用いれば、印刷会社に依頼せずに、商品を購入し、デザイン作成後、家庭用プリンター等で紙面にデザインを印刷することによって低価格で小ロットのスクラッチカードを消費者に提供できる。図１の１はコインで擦る前の状態のスクラッチカード台紙本体１を示す。２は特殊加工スクラッチ部分を施したスクラッチカード台紙本体１を示す。３はミシン目加工部分を施したスクラッチカード台紙本体１を示す。４はパソコンでデザインを作成し、プリンターで紙面に印刷した状態のスクラッチカード台紙本体１を示す。５はコインで擦った後文字が表示された状態のスクラッチカード台紙本体１を示す。６はミシン目加工部分に沿って切り離した状態のスクラッチカード台紙本体１を示す。【００１０】なお、スクラッチ加工部分は、銀箔式ではないコイン等の金属に化学反応する削りカスの出ないスクラッチ加工を用いることにより、削りカスが生じることを防ぐことが可能となる。したがって、従来の銀箔式スクラッチでは得ることのできない環境への配慮、コスト削減、制作期間の短縮を図ることが可能となる。【００１１】具体的には、スクラッチカード台紙には予めスクラッチ加工、ミシン目加工が施してあり、納期の短縮、コストの減少を可能とした。気軽に家庭用プリンター等でデザインを台紙に印刷することが可能となり、小ロットを希望する利用者のニーズによって用途も増幅し、環境、納期、コストなどの問題点を解決するとともに商品としての魅力も有するものである。
【図面の簡単な説明】
【００１２】
【図１】本考案のスクラッチカード台紙は販売時にはデザインが無い紙質の白が見えている状態（図１の１）及び、スクラッチ加工（図１の２）、ミシン目加工（図１の３）を施してある状態であり、コインで擦ると文字が出てくる（図１の５）パソコンでデザインを作成し、プリンターで印刷した状態（図１の４）からミシン目加工部分に沿って切り離し（図１の６）１枚のスクラッチカードが完成した状態一実施例を示す図である。
【符号の説明】
【００１３】１・・・  スクラッチカード台紙本体
２・・・  特殊加工スクラッチ部分
３・・・  ミシン目加工部分
４・・・  パソコンでデザインを作成し、プリンターで印刷した状態
５・・・  ２部分をコインで擦った後の状態
６・・・  ミシン目加工部分に沿って切り離した状態
【図１】
0003170362.tif 000003